(57)【特許請求の範囲】
【請求項１】
調理容器を載置するトッププレートと、
前記トッププレートの下方に配置され前記調理容器を加熱する加熱体と、
前記加熱体と電気的に接続され電力を供給する回路と、
前記加熱体の下方に配置され前記回路などを収納する収容部の外郭となる収容部材と、
前記収容部材の上方周縁部に、前記トッププレートと略平行な面である加熱体載置部を有した支持部材と、
を備え、
前記支持部材は、前記加熱体の少なくとも一部を載置する前記加熱体載置部と、前記加熱体載置部の周囲に配された隔壁部と、前記加熱体載置部に連続し前記収容部材の上方周縁部よりも収容部側で下方に屈曲させた屈曲部とを有し、
前記収容部の開口面積を超える面積を有する前記トッププレートを前記収容部の上方に配置することで外観を構成し、前記加熱体および前記支持部材の前記加熱体載置部の少なくとも一部を前記収容部の外側に配置し、前記収容部の外側に位置した前記加熱体の外周部に前記隔壁部が位置する加熱調理器であって、
前記隔壁部の終端は、前記収容部材の上方周縁部よりも前記収容部側に位置した加熱調理器。
【請求項２】
支持部材の下面に液体経路を設けた請求項１に記載の加熱調理器。
【請求項３】
支持部材の下方に凸部を有した請求項２に記載の加熱調理器。
【請求項４】
支持部材は前記収容部材と別部材で形成し、前記収容部材或いは前記収容部内に収容された収容物に、嵌合或いはねじ止め或いは接着剤により連結した請求項１〜３のいずれか１項に記載の加熱調理器。
【請求項５】
支持部材は、前記加熱体に、嵌合或いはねじ止め或いは接着剤により連結した請求項１〜３のいずれか１項に記載の加熱調理器。
【請求項６】
収容部下方に位置する収容部材には収容部に侵入した液体を下方に排出する液体通過手段
を有した請求項１〜５のいずれか１項に記載の加熱調理器。
【請求項７】
支持部材は、非磁性材料で形成し、前記加熱体を加熱コイルとした請求項１〜５のいずれか１項に記載の加熱調理器。
【発明の詳細な説明】
【技術分野】
【０００１】
本発明は、加熱体を用いて調理容器を加熱する調理器であって、特に、厨房装置のキャビネットに組み入れて使用する加熱調理器に関するものである。
【背景技術】
【０００２】
従来、この種の誘導加熱調理器は、厨房装置のキャビネットの天板とトッププレートとの間に、加熱コイルが収容できる加熱コイル収容空間を有したものがある（例えば、特許文献１参照）。
【０００３】
図８Ａは、従来の誘導加熱調理器を厨房装置のキャビネットに組み入れた状態を示す平面図であり、図８Ｂは、図８ＡのＡ−Ａ線断面図である。
【０００４】
図８Ｂに示すように、従来の誘導加熱調理器は、耐熱性ガラスなどの非金属部材で構成された平板状のトッププレート４０１と、トッププレート４０１の下方に設けられた収容部４０８とを備えている。
【０００５】
また、トッププレート４０１の下方には、トッププレート４０１上部に載置される鍋などの被加熱物を誘導加熱する加熱コイル４２１，４２２，４２３が配置されている。なお、加熱コイル４２１，４２２，４２３のいずれかを、被加熱物を抵抗加熱する電気ヒータ、例えばラジエントヒータに置き換えたものもある。
【０００６】
これらの加熱コイル４２１，４２２，４２３は、例えば、トッププレート４０１の裏面に接触されて配置されるか、あるいはトッププレート４０１の裏面から約１０ｍｍ以内の空間を空けて配置されている。
【０００７】
また、図８Ａの下方を前方（手前）、図８Ａの上方を後方（奥）とすると、加熱コイル４２１は前方左側に配置され、加熱コイル４２２は前方右側に配置され、加熱コイル４２３は後方中央部に配置されている。
【０００８】
収容部４０８内において前方左側の加熱コイル４２１の下方には、焼き魚などの調理を行うロースタ４０６が配置されている。ロースタ４０６の庫内には、電気抵抗式のヒータ、焼き網、受け皿などが配置されている。
【０００９】
収容部４０８内においてロースタ４０６の右方には、加熱コイル４２１，４２２のそれぞれに高周波電流を供給するインバータ装置４０５が配置されている。インバータ装置４０５には、加熱コイル４２１に対応するインバータ回路基板と、加熱コイル４２２に対応するインバータ回路基板とが、上下に並列に配置されている。
【００１０】
前記構成を有する誘導加熱調理器は、図８Ｂに示すように、収容部４０８が厨房装置のキャビネット４０９の天板４２０に設けられた開口部４１２に挿入され、トッププレート４０１の外周部が天板４２０上部に載置されることにより、厨房装置に組み込まれる。
【００１１】
ここで、厨房装置の開口部４１２は、誘導加熱調理器あるいはガスコンロ機器などの各種加熱調理機器をキャビネット４０９に組み込むことを容易にするために、あらかじめ天板４２０に設けられるものである。
【００１２】
厨房装置を製造する各メーカーは、この開口部４１２の寸法をほぼ同じ寸法に統一している。例えば、日本国内における厨房装置の製造メーカーは、この開口部４１２の横幅を約５６０ｍｍに設定している。このため、各種加熱調理機器の外郭の外形寸法も概ね統一されている。
【００１３】
これにより、厨房装置に比べて製品寿命が短い加熱調理機器を買い換える際に、厨房装置と加熱調理機器の各種寸法の相違に注意する必要がなくなり、加熱調理機器の選択の自由度が高められている。
【００１４】
また、厨房装置のキャビネット４０９の天板４２０に設けられた開口部４１２の寸法をほぼ同じ寸法に統一していても、開口部４１２の大きさによる制約を受けずに、加熱コイル４２１，４２２２，４２３の大きさもしくはレイアウトなどを自由に設定することができるように、厨房装置のキャビネット４０９の天板４２０とトッププレート４０１との間に、加熱コイル４２１，４２２が収容できる加熱コイル収容空間４３１を有し、その加熱コイル収容空間４３１に加熱コイル４２１，４２２の一部を配置した誘導加熱調理器が提供されている。
【先行技術文献】
【特許文献】
【００１５】
【特許文献１】特開２０１０−２７２２６９号公報
【発明の概要】
【発明が解決しようとする課題】
【００１６】
しかしながら、前記従来の誘導加熱調理器においては、加熱コイル４２１，４２２が収容部４０８から天板４２０上部に突出した加熱コイル収容空間４３１に配置されているため、トッププレート４０１上部や天板４２０上部に存在する水などの液体がトッププレート４０１下部に侵入して加熱コイル４２１，４２２に接触する可能性があった。
【００１７】
液体が加熱コイル４２１，４２２に接触することにより、高電位部である加熱コイル４２１，４２２が絶縁破壊を起こして十分な磁界を発生することができず、被加熱物の加熱ができなくなるという恐れがあった。また、誘導加熱調理器の周辺にいる人体が感電してしまう恐れもあった。
【００１８】
さらに、加熱コイル４２１，４２２に付着した液体が、加熱コイル４２１，４２２と電気的に接続した配線などを伝って収容部４０８内に配置されたインバータ装置４０５にまで達すると、インバータ装置４０５を構成する電気部品の絶縁破壊や絶縁劣化、腐食による電気部品の寿命低下を引き起こす要因となるとともに、状況によっては誘導加熱調理器が故障してしまうという課題を有していた。
【００１９】
本発明は、前記従来の課題を解決するもので、加熱体である加熱コイルを、収容部から天板上部に突出した加熱コイル収容空間に配置するようなレイアウトにしても、天板上部
に存在する液体が加熱体に接触することがなく、安全かつ絶縁劣化や寿命低下を引き起こさない加熱調理器を提供することを目的とする。
【課題を解決するための手段】
【００２０】
前記従来の課題を解決するために、本発明の加熱調理器は、調理容器を載置するトッププレートと、前記トッププレートの下方に配置され前記調理容器を加熱する加熱体と、前記加熱体と電気的に接続され電力を供給する回路と、前記加熱体の下方に配置され前記回路などを収納する収容部の外郭となる収容部材と、前記収容部材の上方周縁部に、前記トッププレートと略平行な面である加熱体載置部を有した支持部材と、を備え、前記支持部材は、前記加熱体の少なくとも一部を載置する前記加熱体載置部と、前記加熱体載置部の周囲に配された隔壁部と、前記加熱体載置部に連続し前記収容部材の上方周縁部よりも収容部側で下方に屈曲させた屈曲部とを有し、前記収容部の開口面積を超える面積を有する前記トッププレートを前記収容部の上方に配置することで外観を構成し、前記加熱体および前記支持部材の前記加熱体載置部の少なくとも一部を前記収容部の外側に配置し、前記収容部の外側に位置した前記加熱体の外周部に前記隔壁部が位置する加熱調理器であって、前記隔壁部の終端は、前記収容部材の上方周縁部よりも前記収容部側に位置している。
【００２１】
収容部の外側に位置した加熱体の外周部に隔壁部を有することによって、トッププレートの周縁部から厨房装置のキャビネットの天板上部に配置された加熱体に液体が浸入しようとしても、隔壁部で液体を遮断して、隔壁部よりも内側に配置された加熱体に液体が浸入しないようにすることができる。
【００２２】
また、加熱体を支持部材の上方に配置することによって、加熱体を配置していない支持部材の下方と分離させることができる。これにより、隔壁部によって遮断された液体が厨房装置のキャビネットの天板上部と隔壁部の下方の間を通過したとしても、支持部材の上方に配置された加熱体は液体と接触しないようにすることができる。
【発明の効果】
【００２３】
本発明の加熱調理器は、加熱体が厨房装置のキャビネットの天板上部に配置されるようなレイアウトにしても、天板上部に存在する液体が加熱体に接触することがなく、安全で絶縁劣化や寿命低下を引き起こさないようにすることができる。
【図面の簡単な説明】
【００２４】
【図１】本発明の実施の形態１における加熱調理器の支持部材および支持部材上方に配置された加熱コイルの構成を示す斜視図
【図２】本発明の実施の形態１における加熱調理器の支持部材を有した誘導加熱調理器を備える厨房装置の一部の断面図
【図３】本発明の実施の形態２における加熱調理器の加熱体載置部に凸部を有した支持部材および支持部材上方に配置された加熱コイルの構成を示す斜視図
【図４】本発明の実施の形態２における加熱調理器の液体の流路を示す図
【図５】本発明の実施の形態３における加熱調理器の支持部材の取り付け例を示す図
【図６】本発明の実施の形態４における加熱調理器の支持部材の取り付け例を示す図
【図７】本発明の実施の形態５における加熱調理器の液体の流路を示す図
【図８Ａ】従来の誘導加熱調理器を備える厨房装置の平面図
【図８Ｂ】図８ＡのＡ−Ａ線断面図
【発明を実施するための形態】
【００２５】
第１の発明は、調理容器を載置するトッププレートと、前記トッププレートの下方に配置され前記調理容器を加熱する加熱体と、前記加熱体と電気的に接続され電力を供給する回路と、前記加熱体の下方に配置され前記回路などを収納する収容部の外郭となる収容部
材と、前記収容部材の上方周縁部に、前記トッププレートと略平行な面である加熱体載置部を有した支持部材と、を備え、前記支持部材は、前記加熱体の少なくとも一部を載置する前記加熱体載置部と、前記加熱体載置部の周囲に配された隔壁部と、前記加熱体載置部に連続し前記収容部材の上方周縁部よりも収容部側で下方に屈曲させた屈曲部とを有し、前記収容部の開口面積を超える面積を有する前記トッププレートを前記収容部の上方に配置することで外観を構成し、前記加熱体および前記支持部材の前記加熱体載置部の少なくとも一部を前記収容部の外側に配置し、前記収容部の外側に位置した前記加熱体の外周部に前記隔壁部が位置する加熱調理器であって、前記隔壁部の終端は、前記収容部材の上方周縁部よりも前記収容部側に位置した加熱調理器である。
【００２６】
収容部の外側に位置した加熱体の外周部に隔壁部を有することによって、トッププレートの周縁部から厨房装置のキャビネットの天板上部に配置された加熱体に液体が浸入しようとしても、隔壁部で液体を遮断して、隔壁部よりも内側に配置された加熱体に液体が浸入しないようにすることができる。
【００２７】
また、加熱体を支持部材の上方に配置することによって、収容部から突出した部分であっても、加熱体を支持部材で保持させることができる。
【００２８】
さらに、加熱体を支持部材の上方に配置することによって、加熱体を配置していない支持部材の下方と分離させることができる。これにより、隔壁部によって遮断された液体が厨房装置のキャビネットの天板上部と隔壁部の下方の間を通過したとしても、支持部材の上方に配置された加熱体は液体と接触しないようにすることができる。
【００２９】
また、厨房装置のキャビネットの天板上部のどの方向から液体が伝ってきても、支持部材には隔壁部が存在するため、収容部材の上方周縁部まで達しても天板上の液体が加熱体に直接かかるような流路が存在しないようにすることができる。
【００３０】
また、収容部材の上方周縁部近傍まで達した液体は、加熱調理器を組み入れている厨房装置のキャビネットの開口部から下方に落下するため、隔壁部の端部から旋回して液体が侵入してくる経路をとれないようにすることができる。
【００３１】
また、支持部材の下面を流れていた液体は、屈曲部で下方向への流路に変換されるため、液体が支持部材の上方に旋回してくる可能性を極めて低くすることができる。
【００３２】
また、下方に屈曲させることにより、加熱体の支持面より下方に支持部材が存在することになるため、収容部を形成する収容部材や収容部内に収容された収容物に支持部材を取り付けることで、支持部材を所望の位置に固定することができる。
【００３３】
第２の発明は、特に、第１の発明において、支持部材の下面に液体経路を設けた加熱調理器である。これにより、トッププレートの周縁部から厨房装置のキャビネットの天板上部を伝ってくる流体を隔壁部の外側に反射するだけよりも液体の流路の選択肢が多くなることから、流体の圧力を小さくして天板からの液体の高さを抑制することによって、隔壁部の上部から侵入しようとする液体の阻止機能を高くすることができる。
【００３４】
第３の発明は、特に、第２の発明において、支持部材の下方に凸部を有した加熱調理器である。これにより、厨房装置のキャビネットの天板と支持部材の間に空隙部を確実に形成し、安定した流体流路を確保することができる。
【００３５】
第４の発明は、特に、第１〜３のいずれか１つの発明において、支持部材は前記収容部材と別部材で形成し、前記収容部材或いは前記収容部内に収容された収容物に、嵌合或い
はねじ止め或いは接着剤により連結した加熱調理器である。これにより、支持部材を付け外しするだけで、加熱体の全てが収容部内に納まる加熱調理器の筐体と加熱体の一部が収容部外に突出した加熱調理器の筐体とを共有化できるため、構成の異なる２つの加熱調理器を安価に実現することができる。
【００３６】
第５の発明は、特に、第１〜３のいずれか１つの発明において、支持部材は、前記加熱体に、嵌合或いはねじ止め或いは接着剤により連結した加熱調理器である。これにより、配置する加熱体を選定するだけで、加熱体の全てが収容部内に納まる加熱調理器の筐体と加熱体の一部が収容部外に突出した加熱調理器の筐体とを共有化できるため、構成の異なる２つの加熱調理器を安価に実現することができる。
【００３７】
第６の発明は、特に、第１〜５のいずれか１つの発明において、収容部下方に位置する収容部材には収容部に侵入した液体を下方に排出する液体通過手段を有した加熱調理器である。これにより、支持部材を伝ってきた液体が収容部内に蓄積されず、収容部内に配置したインバータ装置などの破損を防ぐことができる。
【００３８】
第７の発明は、特に、第１〜５のいずれか１つの発明において、支持部材は、非磁性材料で形成し、前記加熱体を加熱コイルとした加熱調理器である。これにより、加熱コイルから発生した磁界によって支持部材が加熱させる影響を少なくすることができ、筐体外郭が熱くならないといった安全性の向上や熱効率の向上を図ることができる。
【００３９】
以下、本発明の実施の形態について、図面を参照しながら説明する。なお、この実施の形態によって本発明が限定されるものではない。
【００４０】
（実施の形態１）
図１は、本発明の第１の実施の形態における加熱調理器の支持部材および支持部材上に配置された加熱コイルの構成を示す斜視図である。図２は、本発明の第１の実施の形態における加熱調理器の支持部材を有した誘導加熱調理器を備える厨房装置の一部の断面図であり、その断面箇所は図１のＢ−Ｂ線である。
【００４１】
図１において、支持部材３０１は、加熱体である加熱コイル２２１を載置する加熱体載置部３０２を有し、加熱体載置部３０２の周囲には隔壁部３０３を有している。
【００４２】
図２に示すように、加熱コイル２２１の一部を収容部２０８から厨房装置のキャビネット２０９の天板２２０上部に突出させるような構成にした場合、加熱コイル２２１の突出した部分を支える支持部材３０１が必要となる。
【００４３】
そのため、図１に示した支持部材３０１を図２に示したような位置関係に配置することにより、加熱コイル２２１を支持する役目をしている。
【００４４】
図２に示したように、加熱コイル２２１の一部が収容部２０８から突出すると、誘導加熱調理器をキャビネット２０９に組み込んだとき、加熱コイル２２１は厨房装置の天板２２０上部に配置されることになる。
【００４５】
厨房装置近傍では、例えば、トッププレート２０１上部で加熱調理を行うことにより、調理中に煮こぼれ液が発生することがある。煮こぼれ液が多い場合には、煮こぼれ液が被加熱物周辺からトッププレート２０１の周縁部まで流れ、その後、天板２２０上に流出することが予想できる。
【００４６】
また、洗って濡れた野菜を天板２２０上に載置されることにより、野菜の水分が天板２
２０上に伝わるなど、天板２２０上に液体が存在する状況は多い。時には天板上に置いた液体を入れた容器が倒れるなど、一気に大量の水分が存在することも考えられる。
【００４７】
天板上に大量にこぼれた液体は周囲に拡散するが、その一部は厨房装置に組み込んだトッププレートの下部にも侵入し、この液体が加熱コイル２２１にかかってしまうと、加熱コイル２２１のショートや漏電の原因となり危険である。
【００４８】
そこで、本実施の形態のように、支持部材３０１の外周部に隔壁部３０３を有する構成とすることにより、隔壁部３０３が堤防の役目を果たして、加熱コイル２２１に侵入しようとする液体を遮断することができる。
【００４９】
また、遮断された液体の大半は、隔壁部３０３の外側を周回して、断面図の奥または手前の方向に拡散するか、或いは天板２２０上部と支持部材３０１の間を通過して、開口部２１２まで達すると下方に滴下する。
【００５０】
液体が隔壁部３０３の外周に拡散する場合、液体は液体が浸入してきた方向に反射するか、隔壁部３０３の外周を伝って流体流絽となり開口部２１２から下方に落下するため、隔壁部３０３が短いと隔壁部の終端を旋回して加熱コイル２２１に液体がかかることを考慮すると、隔壁部３０３の終端は少なくとも開口部２１２より内側になければならない。
【００５１】
しかし、厨房装置に組み込む加熱調理器の場合、設置のバラつきによって隔壁部３０３の終端部が開口部２１２のどの位置に配置されるかわからない。そこで、隔壁部３０３の終端部を収容部材の上方周縁部よりも内側に位置させることにより、開口部２１２と収容部材が接触した位置よりも設置具合がずれることはないため、常に開口部２１２の内側に隔壁部３０３の終端部を位置させることができ、隔壁部３０３の終端部を旋回して液体が加熱コイル２２１にかかることを防止することができる。
【００５２】
ここで、隔壁部３０３の上部は、加熱調理器のトッププレート２０１下面と接することにより、トッププレート２０１が蓋の役目となって、隔壁部３０３を乗り越えて浸入しようとする液体も遮断する構成とすることが望ましい。
【００５３】
また、隔壁部３０３は支持部材３０１と一体構成とすると堅牢であることから、同じく堅牢であるトッププレート２０１と直接接しても隙間が発生しやすい。そこで、隔壁部３０３の上部に例えばゴム製のパッキンを取り付け、トッププレート２０１下面と圧着させることにより、液体の浸入を防ぐことができる。
【００５４】
なお、隔壁部３０３の上部に取り付ける部材はある程度柔軟性を持った材質であればよく、ゴム製のパッキンに限るものではない。
【００５５】
（実施の形態２）
図３は、本発明の第２の実施の形態における加熱調理器の支持部材および支持部材上に配置された加熱コイルの構成を示す斜視図である。また、図４は、本発明の第２の実施の形態における、支持部材を挿入した誘導加熱調理器の部分的な断面図である。
【００５６】
図３において、加熱体載置部３０２の下方に凸部３０５を有した点で図１とは異なる。
【００５７】
以上のように示された構成について、以下その動作、作用を説明する。
【００５８】
天板２２０上部にこぼれた多量の水分が加熱コイル２２１の方向に浸入しようとしたとき、隔壁部３０３によって大半の水分は隔壁部３０３の周囲方向に拡散するが、周囲方向
に流しきれないほどの多量の水分が一気にこぼれたり、または隔壁部３０３の長さが長くなったりなど、周囲に拡散することによる流体の圧力が大きくなる場合、水嵩が増して隔壁部３０３の上部を浸入しようとする力が増し、隔壁部３０３の上部とトッププレート２０１の下面との接合状況によっては水分が浸入する可能性がある。
【００５９】
そこで、本発明の第２の実施の形態における支持部材は、加熱コイル２２１を載置する加熱体載置部３０２の下方に凸部を設けている。そうすると、天板２２０と支持部材の間の空隙部を確実に設けることができるため、図４に示すように支持部材３０１の下方を液体３０６の流体流路として確保することが可能となる。
【００６０】
これにより、多量の水分がこぼれても水嵩が増すのを抑制することができるため、加熱コイル２２１に液体がかかることによるショートや漏電といった故障を回避しやすくなる。
【００６１】
また、天板２２０と支持部材３０１の間を流れてきた液体は、開口部２１２で滴下したり、あるいは収容部材と衝突して滴下するのが大半であるが、支持部材３０１を収容部材の上方周縁部よりも収容部側で下方に屈曲させることにより、もし液体が収容部材を超えた場合においても、屈曲部３０４によって確実に液体を下方に滴下するとともに、支持部材３０１の端部から支持部材３０１の上部に旋回してくるのを防ぐことができる。
【００６２】
（実施の形態３）
図５は、本発明の第３の実施の形態における加熱調理器の支持部材の取り付け例を示す図である。
【００６３】
図５において、支持部材３０１と収容部２０８を形成する部材を接続手段である接続部３０７によって接続した点で図２または図４とは異なる。
【００６４】
以上のように構成された加熱調理器について、以下その動作、作用を説明する。
【００６５】
支持部材３０１を収容部２０８を形成する収容部材１９９と別の部材とした場合、支持部材３０１を固定するためには、加熱調理器を構成する筐体のいずれかに接続する必要がある。そのとき、トッププレート２０１に接続するのではなく、加熱コイル２２１よりも下部に位置する支持部材３０１を接続箇所とすることにより、加熱調理器のメンテナンス時などにトッププレート２０１を外しやすくすることができる。
【００６６】
また、加熱コイル２２１を載置するための支持部材３０１が加熱コイル２２１を配置する前に固定することができるため、加熱コイル２２１を収容部２０８から突出した状態に容易に配置することが可能となる。
【００６７】
（実施の形態４）
図６は、本発明の第４の実施の形態における加熱調理器の支持部材３０１の取り付け例を示す図である。
【００６８】
図６において、支持部材３０１と加熱コイルの構成要素の一部を接続手段である接続部３０８によって接続した点で図５とは異なる。
【００６９】
以上のように構成された加熱調理器について、以下その動作、作用を説明する。
【００７０】
図６において、加熱コイル２２１は交流磁界を鍋などの被加熱物に供給することにより加熱する仕組みであるが、磁界は環状となるため、鍋が載置されるトッププレート２０１
とは反対側の領域にも磁界は発生する。
【００７１】
そのため、トッププレート２０１と反対側に位置する加熱コイル２２１の近傍には、磁界が周辺の部材を加熱することのない様にかつ、載置された鍋との結合を高くして加熱効率を高めるために、フェライト２４１などの損失の少ない強磁性体が配置されるのが一般的である。また、前記フェライト２４１や加熱コイルを保持する保持材２４２を併せて加熱コイルユニットとしている。
【００７２】
支持部材３０１を収容部２０８を形成する収容部材と別の部材とした場合、支持部材３０１を固定するためには、加熱調理器を構成する筐体のいずれかに接続する必要がある。そのとき、加熱コイルユニット内の保持材２４２に接続することにより、保持材２４２と支持部材３０１の一体化が図れるため、例えば、加熱コイルユニットを収容部２０８内に配置したバネによってトッププレート２０１に押し当てて鍋と加熱コイル２２１との距離を一定とする誘導加熱調理器においては、支持部材３０１を筐体や収容物に固定するよりも安易に設置することができる。
【００７３】
また、トッププレート２０１に接着する必要がないため、加熱調理器のメンテナンス時などにトッププレート２０１を外しやすくすることができる。
【００７４】
また、加熱コイル２２１を載置するための支持部材３０１が加熱コイル２２１を配置する前に固定することができるため、加熱コイル２２１を収容部２０８から突出した状態に容易に配置することが可能となる。
【００７５】
また、バネでトッププレート２０１の下面に押し当てる加熱コイルユニットに接続することにより、加熱コイルユニットに接続した支持部材３０１も同様に押し当てられる動作をする。
【００７６】
ここで、支持部材３０１に有する隔壁部３０３の高さを、加熱コイル２２１あるいは加熱コイルユニットに取り付けられた鍋との距離調整具の高さと同等以上にしておくことにより、加熱コイル２２１あるいは加熱コイルユニットに取り付けられた鍋との距離調整具がトッププレート２０１の下面と接する際には隔壁部３０３もトッププレート２０１と接触することになるため、隔壁部３０３を乗り越えて挿入しようとする液体の浸入を防ぐことができる。
【００７７】
また、支持部材３０１を堅牢な非磁性ステンレスをはじめとする非磁性材料で形成することにより、加熱コイル２２１の下方に配置されたフェライト２４１が吸収しきれなかった磁界が直近にある支持部材３０１に加わっても、支持部材３０１の加熱を抑制することができるため、誘導加熱調理器の筐体や天板が熱くなるのを防いだ安全な誘導加熱調理器を提供することができる。
【００７８】
（実施の形態５）
図７は、本発明の第５の実施の形態における加熱調理器の液体の流体通過手段である流体の通路を示す図である。
【００７９】
図７において、収容部２０８の下方に液体が通過できる穴２４４を有する点で図２や図４とは異なる。
【００８０】
以上のように構成された加熱調理器について、以下その動作、作用を説明する。
【００８１】
天板２２０上部にこぼれた液体は、支持部材３０１の加工方法や取り付け方法などによ
り大半は遮断できるが、それでも極一部の液体は支持部材３０１を伝って収容部２０８内に侵入する恐れがある。
【００８２】
そこで、収容部２０８の下方に液体が通過できる穴２４４を有することにより、収容部２０８内に侵入した液体が収容部２０８に蓄積されることなく、重力によって収容部２０８の外側に排出されることになる。そのため、収容部２０８内に配置されたインバータ装置（図示せず）などの回路部品を損傷させることのないようにすることができる。
【００８３】
上記全ての実施の形態は、誘導加熱調理器を例に挙げて述べたが、熱源がラジエントヒータ式や電熱線式のものなど、全ての熱源に対して適応可能であり、誘導加熱調理器に限定するものではない。
【００８４】
また、上記全ての実施の形態は、魚などを焼くロースタを有した図面になっているが、本発明においてロースタの有無は関係がなく、ロースタを有する加熱調理器に限定するものではない。
【産業上の利用可能性】
【００８５】
以上のように、本発明の加熱調理器は、加熱体を突出させることによって、例えば開口部サイズは既存のサイズに限定されることのない加熱調理器を提供するとともに、加熱体を突出させることによって課題となる水分などの液体被害の対策ができるので、加熱調理器の用途に有効である。
【符号の説明】
【００８６】
１９９  収容部材
２０１、４０１  トッププレート
２０８、４０８  収容部
２１２、４１２  開口部
２２０、４２０  天板
２２１、４２１，４２２，４２３  加熱コイル
２４２  保持材
３０１  支持部材
３０３  隔壁部
３０４  屈曲部
３０５  凸部
３０６  液体
３０７、３０８  接続部
【図２】
0005786126.tif 000002
【図４】
0005786126.tif 000003
【図５】
0005786126.tif 000004
【図６】
0005786126.tif 000005
【図７】
0005786126.tif 000006
【図８Ａ】
0005786126.tif 000007
【図８Ｂ】
0005786126.tif 000008
【図１】
0005786126.tif 000009
【図３】
0005786126.tif 000010